(57)【要約】【課題】長年エレベータの使用によりかご室の壁表面に汚れ、傷、凹み等が発生するので、エレベータの据え付け後でもかご室の壁の取り替えを容易にし、低コストで実現できるエレベータのかご室を提供する。【解決手段】隣接する壁本体の衝合部を締め付け固定してエレベータのかご室を構成するエレベータのかご室において、パネル状の壁本体と、この壁本体の表面に取り付けられ、かご室の壁表面を構成する表面板とを備え、前記表面板のみ着脱自在な構成とする。また、壁本体裏面をフラットな構成とする。【選択図】      図１
2004331325.tif 000002
【特許請求の範囲】
【請求項１】
隣接する壁本体の衝合部を締め付け固定してエレベータのかご室を構成するエレベータのかご室において、パネル状の壁本体と、この壁本体の表面に取り付けられ、かご室の壁表面を構成する表面板とを備え、前記表面板のみ着脱自在な構成としたことを特徴とするエレベータのかご室。
【請求項２】
隣接する壁本体の衝合部を締め付け固定してエレベータのかご室を構成するエレベータのかご室において、パネル状の壁本体と、この壁本体の表面に取り付けられ、かご室の壁表面を構成する表面板とを備え、前記壁本体裏面をフラットな構成とし、前記表面板のみ着脱自在な構成としたことを特徴とするエレベータのかご室。
【請求項３】
表面板はその強度が十分あることを特徴とする請求項１又は請求項２記載のエレベータのかご室。
【請求項４】
隣接する壁本体相互の締め付け部は、弾性体を備えた締付手段により締め付けられ、壁本体相互の衝合部に表面板の折り曲げ部を嵌め込んで固定することを特徴とする請求項１〜請求項３のいずれか記載のエレベータのかご室。
【請求項５】
締付手段はボルトとナットからなり、弾性体は挟み込みばねからなり、挟み込みばねはボルトが貫挿され、かつ壁本体に固定された受け座と壁本体の衝合部との間に設置されたことを特徴とする請求項４記載のエレベータのかご室。
【請求項６】
隣接する壁本体相互の締め付け部に設けられる締付手段及び弾性体は、上下２箇所に設けたことを特徴とする請求項４または請求項５記載のエレベータのかご室。
【発明の詳細な説明】
【０００１】
【発明の属する技術分野】
この発明はエレベータのかご室に関するものである。
【０００２】
【従来の技術】
従来のエレベータのかご室の壁は、表板と、この表板の裏面に取り付けた補強板とで構成しており、その壁側面において壁同士をボルト、ナット等の締結具で締め付けて全体が口字状になるように組み立て、次に壁の上下において天井板及び床板に締め付けることにより、かご室を組み立てている。
また、他の技術として、互いに隣接するパネルの一方に係止片を形成し、他方に係止片を挟持するＵ字状の挟持部を設け、挟持部が係止部を挟持して隣接する両パネルが結合されたときに形成されるかご室内側に開口した凹部に弾性体からなる目地を装着したエレベータかご室がある（例えば、特許文献１参照）。
【０００３】
【特許文献１】
実開平１−１２６３８３号公報（第１図〜第９図、実用新案登録請求の範囲）
【０００４】
【発明が解決しようとする課題】
上記従来のエレベータのかご室にあっては、長年エレベータを使用していると、かご室の壁表面に汚れ、傷、凹み等が発生して非常に見苦しい場合がある。そこで、かご室の壁だけをリフォームしたいという要求が多く発生する。
【０００５】
しかし、上記従来のエレベータのかご室では、壁の取り替えを行うには、壁一式全てを再製作する必要があり、また取り替え作業においても、かご室の分解や再組み立てが必要であり、なかなか容易に行えることではなかった。また、特許文献１記載のものは、かご室内から組み立てが可能なかご室構造であるため、構造が複雑で加工が難しく、専用の押え目地も必要となり、コストが高いという問題があった。
【０００６】
この発明は、上述のような課題を解決するためになされたもので、その目的は、エレベータの据え付け後に壁の取り替えを容易にし、低コストで実現できるエレベータのかご室を提供するものである。
【０００７】
【課題を解決するための手段】
この発明に係るエレベータのかご室は、隣接する壁本体の衝合部を締め付け固定してエレベータのかご室を構成するエレベータのかご室において、パネル状の壁本体と、この壁本体の表面に取り付けられ、かご室の壁表面を構成する表面板とを備え、前記表面板のみ着脱自在な構成としたものである。
【０００８】
【発明の実施の形態】
実施の形態１．
図１はこの発明の実施の形態１におけるエレベータのかご室の壁取り付け平面図、図２及び図３は図１の壁締付部分の拡大図であり、図２は締め付けを緩めてスライドさせた状態を示し、図３は締付状態を示す。図１〜図３において、エレベータのかご室の壁は、両端部を内側に向ってコ字状に折り曲げたパネル状の壁本体１の内面側に、上下方向に延在するように凸字状の補強板２を接着剤等で取り付け固定した構造であり、補強板２の凸字先端が壁本体１の内面に接着固定されている。壁本体１の裏面はフラットな構成であるから、エレベータ運転時の風切音が少なくなる。互いに隣接する壁本体１の側面は互いに衝合されて、壁本体１同士を締め付けるボルト３、ナット４からなる締付手段、及び挟み込みばね５からなる弾性体の反発力により締め付けられ、全体として略口字状のかご室外郭が組み立てられる。壁本体１の内面側（かご室側）には、かご室の壁表面を構成する強度が十分ある表面板６が取り付けられている。この表面板６の両端部はＬ字状に折り曲げられ、その両端折り曲げ部が隣接する壁本体１の衝合側面間に嵌め込まれて、ボルト３、ナット４からなる締付手段及び挟み込みばね５からなる弾性体により締め付け固定されることになる。この表面板６の裏面のほぼ中央は、その上下方向に亘って壁本体１に固定された補強板２の反固定側である凸字基部に軽く接触するか、または僅かな隙間をもって対面させることにより、表面板６が壁本体１側に撓まないようにしている。壁本体１の衝合側面と対向する位置に挟み込みばね５の受け座７が固定されており、この受け座７にはボルト貫通穴が設けられ、ボルト３をこの貫通穴に挿通させながら挟み込みばね５を貫挿することにより、受け座７と壁本体１の衝合側面との間に挟み込みばね５を設置する。さらにボルト３を隣接する壁本体１の衝合側面に設けたボルト貫通穴に挿通させ、このボルト３の先端をボルト挿通側と反対側の壁本体１の衝合側面裏側に固定したナット４にねじ込み締め付ける。次に、壁本体１の上下において天井板（図示せず）及び床板（図示せず）に締め付けることにより、かご室全体を組み立てるが、この締め付け方は従来と同様に行われるものである。
なお、ボルト３はかご室内から締め付けが可能であり、ボルト３、ナット４からなる締付手段及び挟み込みばね５からなる弾性体は、壁本体１の衝合側面の上部、下部の２箇所に設けられ、表面板６を上下２箇所で保持している。
【０００９】
この発明の実施の形態１によれば、長年エレベータを使用していると、かご室の壁表面に汚れ、傷、凹み等が発生して非常に見苦しい場合があるが、壁の取り替えを行う時は、天井板及び床板の締め付け部を緩め、必要なら例えば工具等を利用して壁本体１を挟み込みばね５の反発付勢力に抗して左右にスライドさせて、隣接する壁本体１間に隙間を形成して、汚れ、傷、凹み等が発生した表面板６を取り外し、新しい表面板６に差し替えて連接する壁本体１間に表面板６の折り曲げ部を嵌め込むことにより、壁の取り替えを簡単に行うことができる。
【００１０】
また、壁本体裏面がフラットな構成であるため、風切音の低減を図ることができる。更に、展望用エレベータに適用すれば、壁本体裏面が外装化粧板の代わりとなるので、見栄えの良い展望用エレベータのかご室を得ることができる。
【００１１】
実施の形態２．
上記実施の形態１では、ボルト３、ナット４からなる締付手段及び挟み込みばね５からなる弾性体を、壁本体１の衝合側面の上部、下部の２箇所に設けたが、ボルト３、ナット４からなる締付手段及び挟み込みばね５からなる弾性体を壁本体１の衝合側面の中央部１箇所に設け、表面板６を中央部１箇所で保持することにより、構成を簡単にし部品点数を削減したり、あるいは上下２箇所に加え、中央部を入れた３箇所に締付手段及び弾性体を設け、表面板６を上中下の３箇所で確実に保持させてもよい。
【００１２】
実施の形態３．
上記実施の形態１、２では、挟む込みばね５からなる弾性体としたが、挟み込みばねに代えて弾性ゴム、弾性スポンジ等の弾性体を用いることもできる。
【００１３】
【発明の効果】
この発明は以上説明したように、パネル状の壁本体と、この壁本体の表面に取り付けられ、かご室の壁表面を構成する表面板とを備え、前記表面板のみ着脱自在な構成としたので、長年の使用により、かご室の壁表面に汚れ、傷、凹み等が発生し、壁の取り替えを行う場合でも、再製作するのは表面板のみでよく、取り替え作業もかご室を分解する必要のない嵌め込み式であるから、低コストで容易に作業を行うことができる。
【図面の簡単な説明】
【図１】この発明の実施の形態１におけるエレベータのかご室の壁取り付け平面図である。
【図２】この発明の実施の形態１における壁締付部分の拡大図であり、締め付けを緩めてスライドさせた状態を示す。
【図３】この発明の実施の形態１における壁締付部分の拡大図であり、締付状態を示す。
【符号の説明】
１  壁本体
２  補強板
３  ボルト
４  ナット
５  挟み込みばね
６  表面板
７  受け座
【図１】
2004331325.tif 000003
【図２】
2004331325.tif 000004
【図３】
2004331325.tif 000005